(57)【特許請求の範囲】
【請求項１】
それぞれの上面１９，２５と前面２０，２６とが開口していて個々にディスクカートリッジＤが前面２０，２６側から前後方向に出し入れ自在に収納し得る収納凹所１１ａ，１２ａを有するふたつのプラスチック製の半割型ケース１１，１２と、
半割型ケース１１，１２どうし間に折曲自在に一体成形されて、両半割型ケース１１，１２を左右開き状態と上下閉じ合わせ状態とに開閉自在とする一体成形ヒンジ部１３と、
ふたつの半割型ケース１１，１２の一方に一体成形されて半割型ケース１１，１２どうしの上下閉じ合わせ状態で他方の半割型ケース１１（又は１２）に係脱可能に係合することで前記上下閉じ合わせ状態を保持する一体成形ロック部材１４とを備えているディスクカートリッジ用収納ケース。
【請求項２】
半割型ケース１１，１２の左右側壁１６・１７，２２・２３の各上端からそれぞれカートリッジ保持用フランジ３０を収納凹所１１ａ，１２ａの上方へ張り出し形成してある請求項１記載のディスクカートリッジ用収納ケース。
【請求項３】
半割型ケース１１，１２の内底面１５ａ，２１ａの内奥左右に、ディスクカートリッジＤの底面に既設されている左右の位置決め凹部７・７に対し係脱自在に係合する凸部３１・３１を一体成形してある請求項１又は２記載のディスクカートリッジ用収納ケース。
【請求項４】
凸部３１の前後方向における断面形状が先丸形状もしくは先細形状に形成され、凸部３１の根元にストレート部３１ａが形成されている請求項３記載のディスクカートリッジ用収納ケース。
【請求項５】
半割型ケース１１，１２の内底面１５ａ，２１ａ上に敷かれる状態にディスクカートリッジＤと一緒に収納されるインデックスカードＣの左右端縁に、前記凸部３１・３１のストレート部３１ａに係合する切欠部３３・３３が形成されている請求項４記載のディスクカートリッジ用収納ケース。
【発明の詳細な説明】
【０００１】
【発明の属する技術分野】
本発明は、光磁気ディスクに代表されるディスクカートリッジを収納保管するための収納ケースに関する。
【０００２】
【従来の技術】
かかるディスクカートリッジのひとつにミニディスクがある。ミニディスク用の収納ケースはプラスチック製の上下ケースを蓋合わせ状に接合して前側面に出入口を有するブックケース形状に形成してある。この収納ケースの左右側壁の内奥には一対のロック部材を組み込んであり、ミニディスクを出入口から差し込んで、ミニディスクの底面両側の位置決め凹部を両ロック部材に嵌め込み係合することにより、ミニディスクが出入口から抜け出すのを防止できる（例えば、特開平１０−２５８８８７号公報参照）。
【０００３】
【発明が解決しようとする課題】
しかるに、上記収納ケースでは、上下ケースおよびロック部材のパーツをそれぞれ個別に成形する必要があり、また上下ケースのいずれかにロック部材を組み付けたのち、上下ケースを接合するという組み立て手数を要するものであって、成形加工や組立加工のコストアップを招くばかりか、生産性の低下を来していた。また、１枚のミニディスクしか収納できないため、予備などのために２枚携帯する場合にカバンの中でばらばらになり不便であつた。
【０００４】
本発明の目的は、このような問題を解消するためになされたものであり、ディスクカートリッジを２枚収納することができ、携帯性、生産性の向上をも図れるディスクカートリッジ用収納ケースを提供することにある。
【０００５】
【課題を解決するための手段】
本発明の収納ケースは、図１に示すごとくそれぞれの上面１９，２５と前面２０，２６が開口されて個々にディスクカートリッジＤを前面２０，２６から前後方向に出し入れ自在に収納し得る収納凹所１１ａ，１２ａを有するふたつのプラスチック製の半割型ケース１１，１２と、半割型ケース１１，１２どうし間に折曲自在に一体成形されて両半割型ケース１１，１２を左右開き状態と上下閉じ合わせ状態に開閉自在とする一体成形ヒンジ部１３と、ふたつの半割型ケース１１，１２の一方に一体成形されて半割型ケース１１，１２どうしの上下閉じ合わせ状態で他方の半割型ケース１１（又は１２）に係脱可能に係合することで前記上下閉じ合わせ状態を保持する一体成形ロック部材１４とを備えてあることに特徴を有するものである。
【０００６】
更に、上記半割型ケース１１，１２および凸部３１は次のような具体的構成を採用することが好ましい。
半割型ケース１１，１２は左右側壁１６・１７，２２・２３の各上端からそれぞれカートリッジ保持用フランジ３０を収納凹所１１ａ，１２ａの上方へ張り出し形成する。半割型ケース１１，１２の内底面１５ａ，２１ａの内奥左右に、ディスクカートリッジＤの底面に既設されている左右の位置決め凹部７・７に対し係脱自在に係合する凸部３１・３１を一体成形する。
凸部３１は前後方向における断面形状が先丸形状もしくは先細形状に形成し、凸部３１の根元にストレート部３１ａを形成する。ディスクカートリッジＤと一緒にインデックスカードＣを収納する場合、インデックスカードＣは半割型ケース１１，１２の内底面１５ａ，２１ａ上に敷かれるが、このインデックスカードＣの左右端縁には前記凸部３１のストレート部３１ａに係合する切欠部３３・３３を形成する。
【０００７】
【作用】
ふたつの半割型ケース１１，１２、一体成形ヒンジ部１３、および一体成形ロック部材１４の全てが一体にプラスチック成形された一体成形品とすることで、従来の収納ケースのように数点のパーツを成形し、これらを組み立てる作業が必要でないため生産性を向上できる。
【０００８】
ふたつの半割型ケース１１，１２は折曲自在な一体成形ヒンジ部１３を介して上下閉じ合わせ状態に変えることにより、コンパクトに折り畳むことができ、携帯性に優れる。ふたつの半割型ケース１１，１２はこの上下閉じ合わせ状態が一体成形ロック部材１４により保持されるため不用意に開くことがない。
【０００９】
ふたつの半割型ケース１１，１２は、一体成形ロック部材１４によるロック状態を解除したのち折曲自在な一体成形ヒンジ部１３を介して左右開き状態に変えることにより、左右の半割型ケース１１，１２に対するディスクカートリッジＤの出し入れが容易に行える。
【００１０】
半割型ケース１１，１２の左右側壁１６・１７，２２・２３の各上端に設けたカートリッジ保持用フランジ３０は、ディスクカートリッジＤを収納凹所１１ａ，１２ａ内から上方へ出ることのないように収納保持する。したがって、半割型ケース１１，１２を上下閉じ合わせ状態から左右開き状態に、逆に左右開き状態から上下閉じ合わせ状態にそれぞれ変える操作途上でディスクカートリッジＤが収納凹所１１ａ，１２ａ内でがたついたり、収納凹所１１ａ，１２ａから飛び出すのを防止でき、半割型ケース１１，１２の開閉操作がスムーズに行える。半割型ケース１１，１２の上下閉じ合わせ状態において、上下のディスクカートリッジＤ，Ｄどうしが擦り合ったり、傷つき合うのを防止することもできる。
【００１１】
かかるカートリッジ保持用フランジ３０によるディスクカートリッジＤの収納保持機能と、半割型ケース１１，１２の凸部３１とディスクカートリッジＤの位置決め凹部７との係合作用とが相まって、ディスクカートリッジＤが不用意に半割型ケース１１，１２の前面２０，２６から抜け出るのを防止できる。
【００１２】
凸部３１を断面先丸形状もしくは先細形状に形成することにより、ディスクカートリッジＤを前後方向に出し入れする時にディスクカートリッジＤの位置決め凹部７が凸部３１を容易に乗り越え、その係脱作用が円滑に行える。
インデックスカードＣはこれの切欠部３３を凸部３１の根元のストレート部３１ａに係合させておくと、ディスクカートリッジＤを前後方向に出し入れする時にインデックスカードＣがディスクカートリッジＤの底面との摩擦抵抗により動くのを防止でき、とくにディスクカートリッジＤの取り出し時にインデックスカードＣが連れ出されるのを防止できて有利である。
【００１３】
【発明の実施の形態】
本発明に係るディスクカートリッジ用収納ケースの一実施例を説明する。図１および図３において、収納対象のディスクカートリッジＤは、例えば、ミニディスクであり、情報信号を記録する光磁気ディスク等のディスク１をカートリッジケース２の内部に回転自在に収容している。
【００１４】
カートリッジケース２は、それぞれプラスチック成形された上ケース２ａと下ケース２ｂとを蓋合わせ状に接合して四角形箱状に形成してなる。上下ケース２ａ，２ｂの左右一側部には、信号読み書き窓３を開口してあり、この窓３はカートリッジケース２に前後方向にスライド自在に装着したシャッター４で開閉できる。シャッター４はばね５で閉じ勝手に移動付勢されており、さらに閉じ位置においてロック部材６でロック保持される。下ケース２ｂの底面の左右両側には位置決め凹部７・７が形成され、ディスクドライブに装填したときディスクドライブ側の位置決め部材がその位置決め凹部７・７に係合してディスクカートリッジＤが所定位置に保持される。
【００１５】
上記ディスクカートリッジＤを２枚収納可能にする収納ケースＰは全体がプラスチック一体成形品であり、図１および図２に示すようにふたつの半割型ケース１１，１２と、半割型ケース１１，１２どうし間に折曲自在に一体成形された一体成形ヒンジ部１３と、一方の半割型ケース１１に一体成形された一体成形ロック部材１４とを備えている。
【００１６】
一方の半割型ケース１１は、下底壁１５と、下底壁１５の左右端に連設した左右側壁１６・１７と、下底壁１５の後端に連設した後壁１８とを有して上面１９および前面２０が開口する収納凹所１１ａを有する形に形成され、前面２０がディスクカートリッジＤの出入口となっている。他方の半割型ケース１２は前記半割型ケース１１とほぼ同一形状に形成され、上底壁２１と、上底壁２１の左右端に連設した左右側壁２２・２３と、上底壁２１の後端に連設した後壁２４とを有しており、これ又上面２５および前面２６が開口する収納凹所１２ａを有する形に形成され、前面２６がディスクカートリッジＤの出入口となっている。
【００１７】
一体成形ヒンジ部１３は、一方の半割型ケース１１の右側壁１７の下端部と他方の半割型ケース１２の左側壁２２の下端部とを折曲自在な薄肉部２７・２８を介して一体に連結している。この一体成形ヒンジ部１３の薄肉部２７・２８の展開動作により半割型ケース１１，１２どうしが左右開き可能であり、その薄肉部２７・２８の折曲動作により一方の下底壁１５を有する半割型ケース１１の上に、他方の上底壁２１を有する半割型ケース１２が閉じ合わせ状態に重ね合わされる。
【００１８】
一体成形ロック部材１４は、図１に示すごとく先端に鉤部１４ａを有する突片形状を呈するものであって、一方の上底壁２１を有する半割型ケース１２の右側壁２３の上端から上向きに一体に突設される。他方の半割型ケース１１の左側壁１６の外面には図４に示すごとく係合凹部２９が形成されて、この半割型ケース１１の上に一体成形ロック部材１４をもつ半割型ケース１２が閉じ合わせ状態に重ね合わされると、図４に示すごとく一体成形ロック部材１４がこれの弾性変形を介して係合凹部２９に係合し、この係合により半割型ケース１１，１２どうしの上下閉じ合わせ状態がロック保持される。
【００１９】
このように構成された収納ケースには、ディスクカートリッジＤが半割型ケース１１，１２の個々に前面２０，２６から前後方向に出し入れ自在に収納される。その際、半割型ケース１１，１２が図１に示すごとく左右開き状態でも、また図２に示すごとく上下閉じ合わせ状態でも各収納凹所１１ａ，１２ａに対しディスクカートリッジＤを独立して出し入れできるように、半割型ケース１１の左右側壁１６・１７の各上端から、また半割型ケース１２の左右側壁２２・２３の各上端からそれぞれカートリッジ保持用フランジ３０を各収納凹所１１ａ，１２ａの上方へ向けて張り出し形成する。カートリッジ保持用フランジ３０の各収納凹所１１ａ，１２ａの内底面１５ａ，２１ａからの高さは、ディスクカートリッジＤの厚みよりも僅かに大きい寸法に設定する。
【００２０】
半割型ケース１１，１２の各収納凹所１１ａ，１２ａ内に収納されるディスクカートリッジＤは各内底面１５ａ，２１ａとカートリッジ保持用フランジ３０との間で上下方向に保持される。したがって、半割型ケース１１，１２が左右開き状態でも、また上下閉じ合わせ状態でもディスクカートリッジＤが収納凹所１１ａ，１２ａから上方へ脱出するのを防止できる。半割型ケース１１，１２の上下閉じ合わせ状態では、それぞれ収納されるディスクカートリッジＤ，Ｄ間にカートリッジ保持用フランジ３０，３０が介在することになるため、ディスクカートリッジＤ，Ｄどうしが擦り合ったり、傷つき合うようなことがない。
【００２１】
半割型ケース１１，１２の各内底面１５ａ，２１ａの内奥における左右両側には、ディスクカートリッジＤが不用意に前方へ抜け出すのを防止するための凸部３１・３１を一体成形する。この凸部３１には、ディスクカートリッジＤを収納したときこれの底面の左右の位置決め凹部７・７が係合するものとする。
ディスクカートリッジＤを前後方向に出し入れする時にディスクカートリッジＤの位置決め凹部７が凸部３１を容易に乗り越え、その係脱作用が円滑に行えるように凸部３１は前後方向の断面形状が図６に示すごとく先丸形状、もしくは図７に示すごとく台形などの先細形状に形成する。
【００２２】
かかるディスクカートリッジＤの位置決め凹部７の凸部３１との係合状態は、カートリッジ保持用フランジ３０によるディスクカートリッジＤの保持機能によって保持されるため、ディスクカートリッジＤが不用意に半割型ケース１１，１２の前面２０，２６から前方へ抜け出るのを防止できる。
上記のような断面形状をもつ凸部３１は単純形状に、かつ内底面１５ａ，２１ａからの突出高さを可及的に低く形成することで、収納ケース全体を一体成形するときこの成形品を型から取り出すとき支障がないようにしている。
【００２３】
各半割型ケース１１，１２にはディスクカートリッジＤと一緒にインデックスカードＣが収納される。この場合、ディスクカートリッジＤを前後方向に出し入れする時にインデックスカードＣがディスクカートリッジＤの底面との摩擦抵抗により動くことがないようする。そのために、上記凸部３１の根元には、インデックスカードＣの厚み分だけストレート部３１ａを形成する一方、インデックスカードＣの左右端縁に切欠部３３・３３を設け、この切欠部３３・３３をストレート部３１ａに係合させる。これにより、ディスクカートリッジＤの取り出し時にインデックスカードＣが連れ出されるのを防止できる。
【００２４】
下底壁１５および上底壁２１のそれぞれの前端には切欠部３４を形成してあり、ディスクカートリッジＤを収納した状態において、このディスクカートリッジＤの取出側端の一部が切欠部３４から露出するようにしてある。このディスクカートリッジＤの露出部をつかむことでディスクカートリッジＤが取り出し易くなる。
【００２５】
【発明の効果】
本発明の収納ケースによれば、ディスクカートリッジＤを２枚収納することができ、また左右開き状態に変えることでディスクカートリッジＤの出し入れが簡易に行えるとともに、上下閉じ合わせ状態に変えることでコンパクト化できて携帯性に優れ、しかも一体成形品で生産性を向上させることができるという利点がある。
【図面の簡単な説明】
【図１】左右開き状態で示す収納ケース、ディスクカートリッジおよびインデックスカードのそれぞれの斜視図である。
【図２】上下閉じ合わせ状態で示す収納ケースの斜視図である。
【図３】ディスクカートリッジの底側からみた斜視図である。
【図４】図２におけるＡ−Ａ線断面図である。
【図５】図１におけるＢ部の拡大斜視図である。
【図６】図５におけるＥ−Ｅ線断面図である。
【図７】他の実施例を図６に相応して示す断面図である。
【符号の説明】
７  位置決め凹部
１１，１２  半割型ケース
１１ａ，１２ａ  収納凹所
１３  一体成形ヒンジ部
１４  一体成形ロック部材
１５ａ，２１ａ  内底面
１６，２２  左側壁
１７，２３  右側壁
１９，２５  上面
２０，２６  前面
３０  カートリッジ保持用フランジ
３１  凸部
３１ａ  ストレート部
３３  切欠部
Ｃ  インデックスカード
Ｄ  ディスクカートリッジ
【図１】
0003723365.tif 000002
【図２】
0003723365.tif 000003
【図３】
0003723365.tif 000004
【図４】
0003723365.tif 000005
【図５】
0003723365.tif 000006
【図６】
0003723365.tif 000007
【図７】
0003723365.tif 000008